(57)【要約】【課題】  異なる階の無線端末どうしでも送受信の周波数を変更することなく相互通話が可能となる無線中継器を提供する。【解決手段】無線電波を受信する受信手段と、上記受信手段の信号から必要な信号を復調する復調手段と、外部からの信号を入力する第一及び第二の信号入力端子と、上記第一の信号入力端子から入力された信号と上記復調手段から出力された信号とを加算する第一の信号加算手段と、上記第二の信号入力端子から入力された信号と上記復調手段から出力された信号とを加算する第二の信号加算手段と、上記第一及び第二の信号加算手段の出力信号を外部へそれぞれ出力する第一及び第二の信号出力端子と、上記第一及び第二の信号入力端子から入力された第一及び第二の信号と上記復調手段の出力信号とを加算する第三の信号加算手段と、上記第三の信号加算手段の出力信号を変調する変調手段と、上記変調手段により変調された信号を無線電波として送信する送信手段という構成を設ける。【選択図】      図１
0003105481.tif 000002
【実用新案登録請求の範囲】
【請求項１】
無線電波を受信する受信手段（２）と、上記受信手段の信号から音声信号等の必要な信号を復調する復調手段（３）と、外部からの信号を入力する第一の信号入力端子（９）と、上記第一の信号入力端子（９）から入力された信号と上記復調手段（３）から出力された信号とを加算する第一の信号加算手段（６）と、上記第一の信号加算手段（６）の出力信号を外部へ出力する第一の信号出力端子（４）と、外部からの信号を入力する第二の信号入力端子（５）と、上記第二の信号入力端子（５）から入力された信号と上記復調手段（３）から出力された信号とを加算する第二の信号加算手段（８）と、上記第二の信号加算手段（８）の出力信号を外部へ出力する第二の信号出力端子（１０）と、上記第一の信号入力端子（９）から入力された第一の信号及び上記第二の信号入力端子（５）から入力された第二の信号と上記復調手段（３）の出力信号とを加算する第三の信号加算手段（７）と、上記第三の信号加算手段（７）の出力信号を変調する変調手段（１１）と、上記変調手段（１１）により変調された信号を無線電波として送信する送信手段（１２）とを備えたことを特徴とする無線中継器。
【考案の詳細な説明】
【考案の詳細な説明】
【技術分野】
【０００１】  本考案は、通称携帯トランシーバと称される無線携帯端末の通信範囲を拡大するために使用される無線中継器に関するものである。
【背景技術】
【０００２】  近年、無線中継器は、無線携帯端末の用途拡大に伴い、様々な分野で使用されている。
特に通信範囲が狭い特定小電力無線機と称される無線機については、その通話交信範囲を拡大するために広く使用されている。【０００３】  以下図面を参照しながら、上述した従来の無線中継器の一例について説明する。
図３は従来の無線中継器のブロック図を示すものである。また図４は従来の無線中継器を複数使用した場合のブロック図を示すものである。【０００４】  図３において、１は受信アンテナで、無線携帯端末１４から輻射された周波数ｆの電波を受信する。２は受信手段で、受信アンテナ１が受信した電波を復調可能な信号に変換する。３は復調手段で受信手段２の出力信号を復調し、音声信号等の所要の信号を得る。１１は変調手段で、復調手段３によって得られた復調信号を送信可能な高周波信号に変換する。１２は送信手段で復調手段１１の出力信号を増幅し送信アンテナ１３に供給する。【０００５】  この場合、送信周波数が受信周波数と同じであれば、無線中継器自身が送信した電波を無線中継器自身が受信することになり中継器としての動作が成立しないので、通常は必ず受信周波数ｆとは異なる周波数Ｆで送信する。送信アンテナ１３は、送信手段１２の出力を無線電波として空間へ輻射する。【０００６】  また１４及び１５は携帯トランシーバと称される無線携帯端末であり、主として距離的に離れた地点間の通話に使用される。【０００７】  以上のように構成された無線中継器について、以下その動作について説明する。
まず、無線通信端末１４は音声が変調された電波を周波数ｆで送信する。【０００８】  次に、受信アンテナ１は無線端末１４の周波数ｆの電波を受信し、受信手段２及び復調手段３によって無線端末１４が送信した高周波信号から音声を復調する。復調された音声信号は変調手段１１で送信可能な高周波信号に変調され、さらに送信手段１２によって増幅され、送信アンテナ１３によって受信アンテナが受信した周波数ｆと異なる周波数Ｆで輻射される。受信アンテナ１３から輻射された電波は、別の場所にある無線携帯端末１５で受信復調され、無線携帯端末１４で送信された音声信号が再生される。【０００９】  この動作により、通常は無線端末１４と無線端末１５が直接通信は出来ない距離であっても、無線中継器を経由することで、通信距離を延長することが可能となる。
図４は、従来の無線中継器を３階建ての建物の各階に設置した場合のブロック図を示すものである。【００１０】  各階には全く同一の無線中継器と携帯端末が使用されており、それぞれの構成要素には、図３の構成要素に対応して、各構成要素の番号に１階はａを、２階はｂを、３階はｃをそれぞれ付加して表示している。【００１１】  図４において、２階の携帯端末１４ｂが周波数ｆｂで音声を送信するものと仮定する。以後の動作は図３における説明と全く同一なので説明を省略する。【００１２】  携帯端末１４ｂは２階に設置された無線中継器を経由して携帯端末１５ｂに音声を無線で伝達することが出来る。この動作は図３における動作と全く同一である。
【考案が解決しようとする課題】
【００１３】  しかしながら上記のような構成では、異なる階どうしでは無線携帯端末の送受信周波数が異なる上に、電波が届きにくいため、例えば携帯端末１４ｂが３階の携帯端末１５ｃに音声を伝達しようとしても不可能であり、異なる階どうしでは通話出来ないという問題点を有していた。
【００１４】  本考案は上記問題に鑑み、異なる階の端末どうしでも周波数を変更することなく通話が可能で、任意の階から任意の階への通話を可能とする無線中継器を提供するものである。
【課題を解決するための手段】
【００１５】  上記問題点を解決するために本考案の無線中継器は、無線電波を受信する受信手段と、
上記受信手段の信号から必要な信号を復調する復調手段と、外部からの信号を入力する第一の信号入力端子と、上記第一の信号入力端子から入力された信号と上記復調手段から出力された信号とを加算する第一の信号加算手段と、上記第一の信号加算手段の出力信号を外部へ出力する第一の信号出力端子と、外部からの信号を入力する第二の信号入力端子と、
上記第二の信号入力端子から入力された信号と上記復調手段から出力された信号とを加算する第二の信号加算手段と、上記第二の信号加算手段の出力信号を外部へ出力する第二の信号出力端子と、上記第一の信号入力端子から入力された第一の信号と上記第二の信号入力端子から入力された第二の信号と上記復調手段の出力信号とを加算する第三の信号加算手段と、上記第三の信号加算手段の出力信号を変調する変調手段と、上記変調手段により変調された信号を無線電波として送信する送信手段という構成を備えたものである。
【００１６】  本考案は上記した構成により、複数個の無線中継器を直列的に連結することが可能となり、連結することによって、ある任意の一つの無線中継器の復調信号を当該中継器以外の他の全ての無線中継器の変調用信号として供給することが出来る。そのために、使用電波の周波数の異なる階の携帯端末どうしでも通信が可能となり、通話可能範囲が著しく拡張されることとなる。
【考案を実施するための最良の形態】
【００１７】  以下本考案の実施の形態を実施例にもとづき、図面を参照しながら説明する。図１は本考案の実施の形態の無線中継器のブロック図を示すものである。
図１において、図３と同じ番号を付与したものは、動作及び機能において全く同一なので説明を省略する。【００１８】  ９は第一の信号入力端子で他の無線中継器からの復調信号が入力される。６は第一の加算器で、信号入力端子９から入力された信号と復調手段３から出力された信号とを加算する。４は第一の信号出力端子で、上記第一の加算器６の出力信号を外部へ出力する。【００１９】  ５は第二の信号入力端子で第一の信号入力端子９と同様に他の無線中継器からの復調信号が入力される。８は第二の加算器で、信号入力端子５から入力された信号と復調手段３から出力された信号とを加算する。１０は第二の信号出力端子で、上記第二の加算器８の出力信号を外部へ出力する。【００２０】  ７は第三の信号加算器で、上記第一の信号入力端子９から入力された第一の信号と上記第二の信号入力端子５から入力された第二の信号と復調手段３の出力信号を加算し、変調手段１１に入力する。【００２１】  以上のように構成された無線中継器について、以下図１及び図２を用いてその動作を説明する。【００２２】  図１は本考案の実施例のブロック図を示すものである。
本考案の無線中継器を単独で作動させる場合は、４個の入出力端子４，５，９，１０には何も接続されないため、外部に接続されるべき入力端子からは信号が入力されず、同様に出力端子へは信号が出力されない。本考案の無線中継器を単独で作動させる場合の動作は、従来の実施例と全く同一となる。【００２３】  図２は、本校案の無線中継器を３階建ての建物の各階に設置した場合のブロック図を示すものである。【００２４】  各階には全く同一の無線中継器と無線携帯端末が使用されており、それぞれの構成要素には、図１の構成要素に対応して、各構成要素の番号に１階はａを、２階はｂを、３階はｃをそれぞれ付加して表示している。【００２５】  図２において、２階の無線携帯端末１４ｂが周波数ｆｂで音声を送信するものと仮定する。
受信アンテナ１ｂは無線携帯端末１４ｂの周波数ｆｂの電波を受信し、受信手段２ｂ及び復調手段３ｂによって無線端末１４が送信した高周波信号から音声を復調する。復調された音声信号は第三の加算器７ｂに入力され、更に変調手段１１ｂで送信可能な高周波信号に変調され、さらに送信手段１２ｂによって増幅され、送信アンテナ１３ｂによって周波数Ｆｂで輻射される。受信アンテナ１３ｂから輻射された電波は、別の場所にある無線携帯端末１５ｂで受信復調され、無線携帯端末１４ｂで送信された音声信号が再生される。【００２６】  このようにして携帯端末１４ｂは２階に設置された無線中継器を経由して携帯端末１５ｂに音声を無線で伝達することが出来る。この動作は図３における従来例の動作と全く同一である。【００２７】  次に、復調手段３ｂによって復調された音声信号は、加算器６ｂに入力され、出力端子４ｂを経由して３階の無線中継器の信号入力端子９ｃに入力される。３階の無線中継器の信号入力端子９ｃに入力された音声信号は、同一の無線中継器の第三の加算器７ｃを経由して変調手段１１ｃに入力され、送信手段１２ｃとアンテナ１３ｃによって無線電波となり空間に輻射される。送信アンテナ１３ｃから輻射された電波は３階の無線端末１５ｃにて受信できるので、結果として２階の無線端末１４ｂの音声信号を３階の無線端末１５ｃに伝達できることになる。【００２８】  次に、復調手段３ｂによって復調された音声信号は、加算器８ｂに入力され、出力端子１０ｂを経由して１階の無線中継器の信号入力端子５ａに入力される。１階の無線中継器の信号入力端子５ａに入力された音声信号は、同一の無線中継器の第三の加算器７ａを経由して変調手段１１ａに入力され、送信手段１２ａとアンテナ１３ａによって無線電波となり空間に輻射される。送信アンテナ１３ａから輻射された電波は１階の無線端末１５ａにて受信できるので、結果として２階の無線端末１４ｂの音声信号を１階の無線端末１５ａに伝達できることになる。【００２９】  １階の無線端末１４ａが周波数ｆａで音声信号を送信した場合も、同様の原理で２階の無線端末１５ｂに伝達出来る。また、２階の無線中継器の第一の加算器６ｂを経由して第一の信号出力端子４ｂへ出力された音声信号は３階の無線中継器の第一の信号入力端子９ｃに入力されるので、１階の無線端末１４ａの音声信号は３階の無線端末１５ｃにも伝達されることとなる。更に、本考案の無線中継器を４階、５階、と連結することで１階の無線端末１４ａの音声信号を２階以上の階にある無線端末に同時に伝達することが出来る。【００３０】  ３階の無線端末１４ｃが周波数ｆｃで音声信号を送信した場合も、同様の原理で２階の無線端末１５ｂに伝達出来る。また、２階の無線中継器の第二の加算器８ｂを経由して第二の信号出力端子１０ｂへ出力された音声信号は１階の無線中継器の第二の信号入力端子５ａに入力されるので、３階の無線端末１４ｃの音声信号は１階の無線端末１５ａにも伝達されることとなる。更に、本考案の無線中継器を地下１階、地下２階、と連結することで３の無線端末１４ｃの音声信号を１階以下の階にある無線端末に同時に伝達することが出来る。【００３１】  本実施例では３階建ての建物を例として説明したが、連結による信号劣化を無視すれば、無限に連結することが可能であり、連結された本考案の無線中継器が設置された階の端末どうしは、すべて相互に通話が可能となる。【００３２】  以上のように本実施の形態によれば、無線電波を受信する受信手段と、上記受信手段の信号から必要な信号を復調する復調手段と、外部からの信号を入力する第一の信号入力端子と、上記第一の信号入力端子から入力された信号と上記復調手段から出力された信号とを加算する第一の信号加算手段と、上記第一の信号加算手段の出力信号を外部へ出力する第一の信号出力端子と、外部からの信号を入力する第二の信号入力端子と、上記第二の信号入力端子から入力された信号と上記復調手段から出力された信号とを加算する第二の信号加算手段と、上記第二の信号加算手段の出力信号を外部へ出力する第二の信号出力端子と、上記第一の信号入力端子から入力された第一の信号と上記第二の信号入力端子から入力された第二の信号と上記復調手段の出力信号とを加算する第三の信号加算手段と、上記第三の信号加算手段の出力信号を変調する変調手段と、上記変調手段により変調された信号を無線電波として送信する送信手段という構成を設けることにより、複数個の無線中継器を直列的に連結することが可能となり、連結することで、ある任意の一つの無線中継器の復調信号を当該中継器以外の他の全ての無線中継器の変調用信号として供給することが出来る。そのために、使用電波の周波数の異なる階の携帯端末どうしでも無線通話が可能となり、通話可能範囲が著しく拡張されることとなる。【００３３】  なお、第１の実施例において伝達する信号は音声信号としたが、データ信号でも同様の効果があることは言うまでもない。
【考案の効果】
【００３４】  以上のように本考案によれば、無線電波を受信する受信手段と、上記受信手段の信号から必要な信号を復調する復調手段と、外部からの信号を入力する第一の信号入力端子と、上記第一の信号入力端子から入力された信号と上記復調手段から出力された信号とを加算する第一の信号加算手段と、上記第一の信号加算手段の出力信号を外部へ出力する第一の信号出力端子と、外部からの信号を入力する第二の信号入力端子と、上記第二の信号入力端子から入力された信号と上記復調手段から出力された信号とを加算する第二の信号加算手段と、上記第二の信号加算手段の出力信号を外部へ出力する第二の信号出力端子と、上記第一の信号入力端子から入力された第一の信号と上記第二の信号入力端子から入力された第二の信号と上記復調手段の出力信号とを加算する第三の信号加算手段と、上記第三の信号加算手段の出力信号を変調する変調手段と、上記変調手段により変調された信号を無線電波として送信する送信手段という構成を設けることにより、複数個の無線中継器を直列的に連結することが可能となり、連結することによって、ある任意の一つの無線中継器の復調信号を当該中継器以外の他の全ての無線中継器の変調用信号として供給することが出来る。そのために、使用電波の周波数の異なる階の携帯端末どうしでも無線通話が可能となり、通話可能範囲が著しく拡張されることとなる。
【００３５】  極めて簡単な回路構成によって、従来は相互通話が出来なかった範囲を通話可能とする本考案の無線中継器の効果は極めて大である。
【図面の簡単な説明】
【図１】  本考案の実施の形態の無線中継器のブロック図である。
【図２】  本考案の実施の形態の無線中継器を３階建ての建物の中に３台を連結して設置した場合のブロック図である。
【図３】  従来の無線中継器のブロック図である。
【図４】  従来の無線中継器を３階建ての建物の中に３台を設置した場合のブロック図である。
【符号の説明】
２  受信手段
３  復調手段
９  第一の信号入力端子
６  第一の信号加算器
４  第一の信号出力端子
５  第二の信号入力端子
８  第二の信号加算器
１０  第二の信号出力端子
７  第三の信号加算器
１１  変調手段
１２  送信手段
【図１】
0003105481.tif 000003
【図２】
0003105481.tif 000004
【図３】
0003105481.tif 000005
【図４】
0003105481.tif 000006